(57)【要約】【課題】本発明の解決しようとする課題は、再封止の必要のない用途において、弱い力でも簡単な操作で、確実に開封することができる包装袋を提案するものである。【解決手段】ポリエチレン樹脂層１１と基材層１２とシーラント層１３をこの順序で有する積層体１０のシーラント層同士を対向させて、周縁を熱シールしてなる包装袋であって、開封予定部位の基材層を除去または脆弱化した開封線７を有し、包装袋外面に、前記開封線を囲むように、前記ポリエチレン樹脂層に融着可能なリング形状の開封補助リング６が融着されており、該開封補助リングを、指で持って変形させることにより、前記開封線の両側の積層体が押し広げられ、これにより前記開封線が開裂し、包装袋が開封されるようにしたことを特徴とする包装袋である。【選択図】図１
2019156462.tif 000002
【特許請求の範囲】
【請求項１】
ポリエチレン樹脂層と基材層とシーラント層をこの順序で有する積層体のシーラント層同士を対向させて、周縁を熱シールしてなる包装袋であって、開封予定部位の基材層を除去または脆弱化した開封線を有し、包装袋外面に、前記開封線を囲むように、前記ポリエチレン樹脂層に融着可能なリング形状の開封補助リングが融着されており、該開封補助リングを、指で持って変形させることにより、前記開封線の両側の積層体が押し広げられ、これにより前記開封線が開裂し、包装袋が開封されるようにしたことを特徴とする包装袋。
【請求項２】
前記開封線は、中心から放射状に形成されていることを特徴とする請求項１に記載の包装袋。
【請求項３】
前記基材層は、酸素及び水蒸気の透過を抑制するガスバリア層を含むことを特徴とする請求項１または２に記載の包装袋。
【発明の詳細な説明】
【技術分野】
【０００１】
本発明は、包装袋に関し、特に簡単な操作によって開封することができる易開封性の包装袋に関する。
【背景技術】
【０００２】
合成樹脂フィルムを複数枚貼り合わせた積層体の周縁を熱シールして製袋した包装袋は、食品やトイレタリー製品を始めとしたさまざまな内容物を収納するための包装容器として広く用いられている。内容物を充填した包装袋の開封に当たっては、鋏やカッター等の道具を使用することなく開封できることが求められてきた。
【０００３】
最も基本的な方法は、開封しようとする線上のシール部に開封開始のきっかけとなるＩ字型の切込みやＶ字型の切り欠き等の開封開始部を設ける方法である。しかし、開封開始部から出発した積層体の裂け目は必ずしもまっすぐ進行せず、斜めに走って途切れてしまったりすることはしばしば経験することである。
【０００４】
容器を構成する積層体の厚さが厚い場合や、手で持つためのシール部の幅が狭い場合など、手で切ること自体が困難な場合もある。近年注目されるようになったユニバーサルデザインの観点からも、力の弱い人でも容易に開封できることは、包装袋が具備すべき大切な要素となってきつつある。そこで、開封操作を容易にするためのさまざまな工夫がなされて来た。
【０００５】
その一つは、容器に口栓を取り付けることである。特許文献１に記載されたハイバリア性口栓付パウチは、包装袋の頂部に口栓を取り付けた口栓付き包装袋の例である。口栓付き包装袋は、開封も容易であり、何よりも再封止が可能である点において優れている。しかし、口栓のコストが多くかかる点と、小さい包装袋には適用が難しいという問題があった。また特に再封止の必要のない用途においては、全く意味をなさないものである。
【先行技術文献】
【特許文献】
【０００６】
【特許文献１】特開２００３−１９１９７０号公報
【発明の概要】
【発明が解決しようとする課題】
【０００７】
本発明の解決しようとする課題は、再封止の必要のない用途において、弱い力でも簡単な操作で、確実に開封することができる包装袋を提案するものである。
【課題を解決するための手段】
【０００８】
上記の課題を解決するための手段として、請求項１に記載の発明は、ポリエチレン樹脂層と基材層とシーラント層をこの順序で有する積層体のシーラント層同士を対向させて、周縁を熱シールしてなる包装袋であって、開封予定部位の基材層を除去または脆弱化した開封線を有し、包装袋外面に、前記開封線を囲むように、前記ポリエチレン樹脂層に融着可能なリング形状の開封補助リングが融着されており、該開封補助リングを、指で持って変形させることにより、前記開封線の両側の積層体が押し広げられ、これにより前記開封線が開裂し、包装袋が開封されるようにしたことを特徴とする包装袋である。
【０００９】
本発明に係る包装袋は、基材層を除去または脆弱化した開封線を設け、この開封線を囲むように、最外面のポリエチレン樹脂層にリング形状の開封補助リングが融着されている
ので、この開封補助リングを手で持って変形させるだけの簡単な操作で開封することが可能となった。
【００１０】
また、請求項２に記載の発明は、前記開封線が、中心から放射状に形成されていることを特徴とする請求項１に記載の包装袋である。
【００１１】
また、請求項３に記載の発明は、前記基材層が、酸素及び水蒸気の透過を抑制するガスバリア層を含むことを特徴とする請求項１または２に記載の包装袋である。
【発明の効果】
【００１２】
本発明に係る包装袋は、開封予定部位の基材層を除去または脆弱化した開封線を有し、包装袋の最外面のポリエチレン樹脂層に、この開封線を取り囲むようにリング形状の開封補助リングが溶着されているため、この開封補助リングを手で持って変形させるだけの簡単な操作で開封することが可能となった。従って再封止が不必要な用途に使用する包装袋として好適に使用できる。
【００１３】
本発明に係る包装袋は、外部にリング形状の開封補助リングが溶着された構造であるため、口栓等と異なり、袋のサイズが小さい場合にも問題なく適用することができる。また、浴室の中などで、手が濡れている場合などにも滑り難く、確実に開封することができる。また、注出口が立体的になるため注出口が閉塞し難く、迅速な注出が可能となる。
【００１４】
請求項２に記載の発明のように、開封線が、中心から放射状に形成されている場合には、開封補助リングを手で押す位置が限定されず、開封補助リングのどこを押しても開封することができる。このため開封に当たっての使い勝手が向上する。
【００１５】
請求項３に記載の発明のように、基材層が、酸素及び水蒸気の透過を抑制するガスバリア層を含むものである場合には、内容物の長期保存性が向上する。
【図面の簡単な説明】
【００１６】
【図１】図１は、本発明に係る包装袋の一実施態様を模式的に示した平面説明図である。
【図２】図２は、図１のＡ−Ａ´断面を模式的に示した断面説明図である。
【図３】図３は、開封補助リングの働きによって包装袋が開封される様子を模式的に示した平面説明図である。
【図４】図４は、図３のＢ−Ｂ´断面を模式的に示した断面説明図である。
【図５】図５は、本発明に係る包装袋の他の実施態様を模式的に示した平面説明図である。
【図６】図６は、図５のＣ−Ｃ´断面を模式的に示した断面説明図である。
【図７】図７は、本発明に係る包装袋を構成する積層体の断面構造の一例を模式的に示した断面説明図である。
【発明を実施するための形態】
【００１７】
以下、図面を参照しながら、本発明に係る包装袋について詳細に説明する。図１は、本発明に係る包装袋の一実施態様を模式的に示した平面説明図である。また、図２は、図１のＡ−Ａ´断面を模式的に示した断面説明図である。また図７は、本発明に係る包装袋を
構成する積層体の断面構造の一例を模式的に示した断面説明図である。
【００１８】
本発明に係る包装袋１は、ポリエチレン樹脂層１１と基材層１２とシーラント層１３をこの順序で有する積層体１０のシーラント層同士を対向させて、周縁を熱シールしてなる包装袋であって、開封予定部位の基材層を除去または脆弱化した開封線７を有し、包装袋外面に、前記開封線７を囲むように、前記ポリエチレン樹脂層１３に融着可能なリング形状の開封補助リング６が融着されており、該開封補助リング６を、指で持って変形させることにより、前記開封線７の両側の積層体が押し広げられ、これにより前記開封線７が開裂し、包装袋が開封されるようにしたことを特徴とする包装袋である。
【００１９】
この例では、表面側の積層体と裏面側の積層体の周縁が熱シールされて、ボトムシール部２、サイドシール部３、４、トップシール部５が熱シールされている。トップシール部５は、通常未シール状態で充填工場に供給され、内容物を充填後に熱シールされる。
開封補助リング６は、包装袋１の最外層であるポリエチレン樹脂層１１に熱融着可能な材料で構成されており、リング形状をしている。本発明に係る包装袋１は、開封補助リング６を指で摘んで変形させることにより、指で押した方向と直交する方向が伸び、これにより開封線７の両側の積層体１０が押し広げられ、その結果、開封線７が開裂し、包装袋が開封される。
【００２０】
図３は、開封補助リング６の働きによって包装袋が開封される様子を模式的に示した平面説明図であって、図４は、図３のＢ−Ｂ´断面を模式的に示した断面説明図である。開封補助リング６を上下方向に押し潰すように変形させると、左右方向が広がり、開封線７の左右の積層体１０を押し広げ、結果として積層体１０が開封線７の位置で開裂し、開封される。
【００２１】
図５は、本発明に係る包装袋１の他の実施態様を模式的に示した平面説明図である。また、図６は、図５のＣ−Ｃ´断面を模式的に示した断面説明図である。この例では、開封線７が十字状である。開封線７をこのように中心から放射状に形成することにより、開封補助リング６をどの方向から変形させても、開封することができる。
【００２２】
なお、開封線７は、十字状に限らず、中心点から放射状に５本〜１０本以上配列しても良い。
【００２３】
本発明に係る包装袋を構成する積層体１０の層構成としては、図７に模式的に示したように、ポリエチレン樹脂層１１、基材層１２、シーラント層１３がこの順序に積層されたものであり、基材層１２には、開封予定部位の基材層を除去または脆弱化した開封線７が設けられている。
【００２４】
基材層１２としては、一般的に軟包装材料として用いられる各種合成樹脂フィルムを用いることができるが、延伸ポリエチレンテレフタレート樹脂（ＰＥＴ）フィルムや、延伸ナイロン（ＯＮｙ）フィルム等は、好適に用いられる。
【００２５】
基材層１２は、酸素及び水蒸気の透過を抑制するガスバリア層を含むこともできる。ガスバリア層としては、ポリ塩化ビニリデンフィルム、ポリビニルアルコールフィルム、エチレンビニルアルコール共重合体フィルム、ガスバリア性ナイロンフィルム、ガスバリア性ポリエチレンテレフタレートフィルム等のガスバリア性フィルムや、ＰＥＴフィルム等にアルミニウム等の金属を蒸着した金属蒸着フィルムや、ＰＥＴフィルムに酸化アルミニウムや酸化珪素等の無機酸化物を蒸着させた無機酸化物蒸着フィルム、あるいは、ポリ塩化ビニリデンコーティング、水溶性樹脂と無機層状化合物を含有する被膜や金属アルコキシドあるいはその加水分解物とイソシアネート化合物を反応させた被膜からなる樹脂層な
どのガスバリアコーティング層、あるいはアルミニウム箔等の金属箔などを用いることができる。
【００２６】
シーラント層１３としては、一般的に軟包装材料のシーラント層として用いられる各種合成樹脂フィルムを用いることができるが、中でも低密度ポリエチレン樹脂（ＬＤＰＥ）、直鎖状低密度ポリエチレン樹脂（ＬＬＤＰＥ）等のポリオレフィン系樹脂は、好適に用いられる。
【００２７】
ポリエチレン樹脂層１１、基材層１２、シーラント層１３は、特に図示しないが、公知の接着剤を用いたドライラミネート法によって接着することができる。
【００２８】
開封線７は、基材層１２を除去または脆弱化したものであり、積層体１０にハーフカットを施すことによって得られる。ハーフカットを形成する手段としては、通常の刃物を用いた方法や、レーザー加工機を用いた方法等がある。
【００２９】
炭酸ガスレーザーの場合、ＰＥＴやＯＮｙには吸収されるが、ＰＥには吸収されず透過する性質があるので、基材層１２としてＰＥＴやＯＮｙを用い、シーラント層としてＰＥを用いた積層体の場合、基材層１２のみを選択的に除去することができる。
【００３０】
図７に示した例では、基材層１２がシーラント層１３とポリエチレン樹脂層１１によって挟まれて、基材層１２のみに開封線７が形成されている。このような状態にするためには、基材層１２とシーラント層１３を貼り合せた積層体に、開封線７を形成した後、後からポリエチレン樹脂層１１を貼り合わせても良いし、３層を貼り合せた後に、炭酸ガスレーザーを用いて図７の状態に加工することもできる。
【００３１】
開封補助リング６に用いる材質としては、開封線を押し破るだけの、ある程度の剛性を有し、外表面のポリエチレン樹脂層１１に熱融着可能な材質であることが必要である。
【００３２】
これらの要求を満たす材料の例としては、低密度ポリエチレン樹脂（ＬＤＰＥ）、直鎖状低密度ポリエチレン樹脂（ＬＬＤＰＥ）、中密度ポリエチレン樹脂（ＭＤＰＥ）、高密度ポリエチレン樹脂（ＨＤＰＥ）等の各種ポリエチレン樹脂が好適に用いられる。
【００３３】
開封補助リング６の形状としては、図１、２に示したような単純な円筒状でも良いし、指の係りを良くするためにリブを設けたり、滑り止めのために表面にぎざぎざを付けたりしても良い。また、図１に示したような円形である必要はなく、楕円形でも良い。また、ポリエチレン樹脂層１１に溶着しやすいように、フランジ部を設けても良い。
【００３４】
また、開封補助リング６にほこり等が付着するのを防止するために、開封補助リング６の上にキャップを被せても良い。このように、開封補助リング６の構造や形状については、本発明の趣旨を逸脱しない範囲で適宜構成することができる。
【符号の説明】
【００３５】
１・・・包装袋
２・・・ボトムシール部
３、４・・・サイドシール部
５・・・トップシール部
６・・・開封補助リング
７・・・開封線
８・・・注出口
１０・・・積層体
１１・・・ポリエチレン樹脂層
１２・・・基材層
１３・・・シーラント層
【図１】
2019156462.tif 000003
【図２】
2019156462.tif 000004
【図３】
2019156462.tif 000005
【図４】
2019156462.tif 000006
【図５】
2019156462.tif 000007
【図６】
2019156462.tif 000008
【図７】
2019156462.tif 000009